Podtech/llm-jp-corpus-v4-ja_patent huggingface dataset:
(57)【要約】      （修正有）【課題】取り扱いが容易であり、患部に紫外線ランプを照射しつつ診療作業を迅速かつ効率的に行うことができる医療用診療装置を提供する。【解決手段】頭部に装着可能な双眼拡大鏡１を有し、該双眼拡大鏡と一体に紫外線ランプ３を設けた。【選択図】図１
0003235175.tif 000002
【実用新案登録請求の範囲】
【請求項１】
頭部に装着可能な双眼拡大鏡を有し該双眼拡大鏡と一体に紫外線ランプを設けたことを特徴とする医療用診療装置。
【請求項２】
紫外線ランプの電源を充電式の電池としたことを特徴とする請求項１に記載の医療用診療装置。
【考案の詳細な説明】
【技術分野】
【０００１】
本考案は、各種の医療を迅速に行うための医療用診療装置に関する。
【背景技術】
【０００２】
従来、歯科などの医療分野に使用される医療用双眼式ルーペとして、ヘッドラ
イト型照明機器を頭部に装着した状態でも、ルーペの拡大レンズ部を眼鏡のレンズ前面から簡単に持ち上げることができ、また使用者がルーペを装着した状態でもルーペ（眼鏡も含む）が安定し、使用者が動作しても位置ずれしたりせず、さらに使用者が手術時などにルーペを直接触って操作できる医療用双眼式ルーペが提案されている。（特許文献１）。
【先行技術文献】
【特許文献】
【０００３】
【特許文献１】特開２００３−２０７７２３号公報
【０００４】
前記の医療用双眼式ルーペは、口腔内診療などの際に照明を必要とする時にはヘッドライト型照明機器などの別の照明機器を準備する必要があった。したがって、その準備と取扱いに手数を要するものであった。
【考案の概要】
【考案が解決しようとする課題】
【０００５】
本考案は、双眼式拡大鏡と紫外線ランプとを一体に形成し、取り扱いが容易であり、紫外ランプにより患部の診療作業を迅速に行うことができ診療作業の効率
化を図った医療用診療装置を提供することを目的とする。
【課題を解決するための手段】
【０００６】
前記目的を達成するため、本考案の医療用診療装置は、頭部に装着可能な双眼拡大鏡を有し該双眼拡大鏡と一体に紫外線ランプ等設けたことを特徴とする（請求項１）。
【０００７】
前記構成の本考案によれば、頭部に装着すれば双眼拡大鏡と紫外線ランプとが一体にセットされ、例えば、歯科のバリ取り診療については紫外線ランプによって残されたバリを目視および双眼拡大鏡で拡大されてバリ取り診療を効率的に確実に行うことができる。その他の矯正診療なども同様に効率的に行うことができる。その結果、患者を待たせることなども減少される。
【０００８】
本考案の実施の一形態は、紫外線ランプの電源を充電式の電池としたことを特徴とする（請求項２）。この実施の一形態によれば、双眼拡大鏡、紫外線ランプ及び頭部への装着部の全体が携帯可能に形成されて取り扱いが容易となり診療作業を効率的に行うことができる。
【考案の効果】
【０００９】
本考案によれば、取り扱いが容易であり、患部に紫外線ランプを照射しつつ診療作業を迅速に行ことができ診療作業の効率化を図ることができる。
【図面の簡単な説明】
【００１０】
【図１】本考案の実施の一形態に係る医療用診療装置の斜視図である。
【図２】使用状態を示す斜視図である。
【考案を実施するための形態】
【００１１】
以下に、図面を参考に本考案の一実施例を説明する。
【００１２】
図中、１は双眼拡大鏡であり、詳細を図指示していないが倍率変更機能を有する。なお、双眼拡大鏡１は頭部Ｈに装着可能に構成される。図面実施例では頭部Ｈへの装着部２は両耳部に掛けて支持する眼鏡タイプに構成されているが、その他、頭部にベルトで装着してもよい。
【００１３】
本考案では、前記双眼拡大鏡１と一体に紫外線ランプ３等が設けられる。該紫外線ランプ３は好ましくは前記双眼拡大鏡１の中間部のやや上部に設けられる。
【００１４】
図中、４は前記紫外線ランプ３の電源であり充電式の電池である。また、図中、５は電源コードである。この充電電池４及び電源コード５の構成は双眼拡大鏡１、紫外線ランプ及び頭部Ｈへの装着部２の全体が携帯可能となり取り扱いが容易であり診療作業を効率的に行うことを可能にする。
【００１５】
前記構成の本考案によれば、頭部に装着すれば双眼拡大鏡１に紫外線ランプが一体に設けられ診療作業を効率的に確実に行うことができる。
【符号の説明】
【００１６】
１  双眼拡大鏡
２  頭部への装着部
３  紫外線ランプ
４  電池
５  電源コード
【図１】
0003235175.tif 000003
【図２】
0003235175.tif 000004
(57)【要約】      （修正有）【課題】自己が記念にしようと思っている記念写真を基にして３Ｄプリンタを用いて作成した記念用立体模型を提供する。【解決手段】例えば記念にしたい愛犬１の写真を基にして３Ｄプリンタを用いて立体模型を作成し、これに色彩を付加する。【選択図】図１
0003235126.tif 000002
【実用新案登録請求の範囲】
【請求項１】
３Ｄプリンタを用い自己の希望する記念写真を基にして立体物を形成し、この立体物に色彩を付加して形成されることを特徴とする記念用立体模型。
【請求項２】
前記写真が死亡したペットや旅行先での家族の集合や新築ホームのミニチュア立体模型やカメラ，パソコン，スマホ等の愛用の道具や結婚式等のイベントや自己用の愛車，バイク，トラックであることを特徴とする請求項１に記載の記念用立体模型。
【考案の詳細な説明】
【技術分野】
【０００１】  本考案は、３Ｄプリンタを用いて自己の希望する記念写真を基にして立体模型を作成しこれに色彩を施して作成する記念用立体模型に関する。
【背景技術】
【０００２】  ３Ｄプリンタを使用する事により各種の立体的模型を作ることが出来る。その例として図２には城，図３にはお人形，図４には果物等が挙げられる。勿論これ以外には色々の立体模型を作ることが出来る。しかしながら、３Ｄプリンタで色々のものが作成出来るとしても従来では自分の希望する記念物に限定してこれを立体的な模型とする公知技術は出願人の調査によると存在していない。この様な立体的模型について敢えて考案として出願する必要がないかもしれないが出願人としては記念の意味も含めて考案として出願したいと思い実施する事とした。
【考案の概要】
【考案が解決しようとする課題】
【０００３】  従来では色々の物について写真撮影や絵描きしたりした記念物を保管していた人が大勢いたと思う。しかしながら、この様な記念物を立体的模型として作成し保管することは実施されていないと判断した。そこで現在３Ｄプリンタが一般に使用されているため、この３Ｄプリンタを用いて自分の記念物を立体的模様とすることを考案し出願の対象とした。
【課題を解決するための手段】
【０００４】  本考案は以上の事情に鑑みて出願したものであり、この考案の請求項１の記念用立体模型は、３Ｄプリンタを用い自己の希望する記念写真を基にして立体物を形成し、この立体物に色彩を付加して形成されることを特徴とする。【０００５】  また、本考案の請求項２の記念用立体模型は、前記写真が死亡したペットや旅行先での家族の集合や新築ホームのミニチュア立体模型やカメラ，パソコン，スマホ等の愛用の道具や結婚式等のイベントや自己用の愛車，バイク，トラックであることを特徴とする。
【考案の効果】
【０００６】  本考案の請求項１の記念用立体模型によれば、自己の希望する記念写真の内容を立体的な模型として保管出来、単なる写真や絵柄として保管するよりも長期間保管出来ると共に美術品としての喜びを感ずることが出来大きな効果を上げることが出来る。【０００７】  また、本考案の請求項２の記念用立体模型によれば、その内容を具体的に示したものであり、本考案の内容の明確化を図ることが出来る。勿論、請求項２の内容は１つの例であり、本考案はこの内容に限定するものではない。
【図面の簡単な説明】
【０００８】
【図１】  本考案の１つの例として愛犬の立体的模型を示す立体図。
【図２】  従来３Ｄプリンタで作成していた城の一例を示す立体図。
【図３】  従来３Ｄプリンタで作成していたお人形の一例を示す立体図。
【図４】  従来３Ｄプリンタで作成していた果物の一例を示す立体図。
【考案を実施するための形態】
【０００９】  本考案の一例として図１に示すものが作成された。このものは従来愛犬として可愛いがっていた犬の生きている時の写真を基にして３Ｄプリンタを用いて作成したものであり、記念品として長く保管すべく作成した。３Ｄプリンタにより犬の模型を作ることは勿論可能であるが、自分の愛犬に限定し、記念品として長期間保管することを目的としたものであり、固有の品物として保管する品物であり他には存在しないものと思っている。
【００１０】  本考案は以上の説明の内容からなるが、実施例として図１に示したものだけでなく、例えば家族の集合写真や新築ホームのミニチュア立体模型等もあり、勿論これ等に限定するものでなく自己が撮影し保管したい記念物に対して適用されるものであることは勿論である。
【産業上の利用可能性】
【００１１】  本考案は夫々の個人に対して適用されるものであり、その利用範囲は極めて広いものと思案するものである。
【符号の説明】
【００１２】１  愛犬
２  お城
３  お人形
４  果物
【図１】
0003235126.tif 000003
【図２】
0003235126.tif 000004
【図３】
0003235126.tif 000005
【図４】
0003235126.tif 000006
【手続補正書】
【提出日】令和3年6月4日(2021.6.4)
【手続補正１】
【補正対象書類名】実用新案登録請求の範囲
【補正対象項目名】全文
【補正方法】変更
【補正の内容】
【実用新案登録請求の範囲】
【請求項１】
、  記念写真に表示されて画像を３Ｄプリンタにより抽出して作成される立体模型であつて、該立体模型には自己の希望する色彩が塗布されるものからなることを特徴する記念用立体画像。
【請求項２】
前記記念写真に表示される画像が、死亡したペットや旅行先での家族の集合体や新築ホームのミニチィヤ立体模型やカメラ、パソコン、スマホ等の愛用の道具や結婚式等のイデントや自己の愛用車、バイク、トラック等の乗物であることを特徴とする請求項１に記載の記念用立体模型。
【手続補正２】
【補正対象書類名】明細書
【補正対象項目名】０００４
【補正方法】変更
【補正の内容】
【０００４】    本考案は以上の事情に鑑みて出願したはのであり、この考案の請求項１の記念用立体模型は、記念写真に表示される画像を３Ｄプリンタにより抽出して形成される立体模型であって、該立体模型には自己の希望する色彩が付加されてなることを特徴とする。
【手続補正３】
【補正対象書類名】明細書
【補正対象項目名】０００５
【補正方法】変更
【補正の内容】
【０００５】      また、本考案の請求項２の記念用立体模型は、前記記念写真に表示される画像が、死亡したペットや旅行先での家族の集合体や新築ホームのミニチィヤ立体模型やカメラ、パソコン、スマホ等の愛用の道具や結婚式等のイベントや自己の愛用車、バイク、トラック等の乗物であることを特徴とする。
【手続補正書】
【提出日】令和3年8月20日(2021.8.20)
【手続補正１】
【補正対象書類名】実用新案登録請求の範囲
【補正対象項目名】全文
【補正方法】変更
【補正の内容】
【実用新案登録請求の範囲】
【請求項１】
記念写真に表示される画像を３Ｄプリンタにより抽出して形成される立体模型であって、該立体模型には自己の希望する色彩が付加されてなることを特徴とする記念用立体模型。
【請求項２】
前記記念写真に表示される画像が、死亡したペットや旅行先での家族の集合体や新築ホームのミニチュア立体模型やカメラ，パソコン，スマホ等の愛用の道具や結婚式等のイベントや自己の愛用車，バイク，トラック等の乗物であることを特徴とする請求項１に記載の記念用立体模型。
(57)【要約】      （修正有）【課題】ハサミを抜いた後も場所が分かりやすく、ハサミが出し入れしやすく、安全に持ち運べるハサミケースを提供する。【解決手段】ハサミケースは、ハサミの切断部を収納するケース部２とケース部２にハサミを収納した状態で収納するフォルダーベース部１を有し、ケース部２の先端部とフォルダーベース１が回動可能でケース部２端部に設けた凹部とフォルダーベース１に設けた凸部がかみ合って仮固定される。ケース部２の前方両側に凸部を設け、フォルダーベース１前方内側両側に凹部を設け、ケース部２をフォルダーベース１に勘合時にケース部２がフォルダーベース１に対して立ち上がる。持ち歩き時にはケース部２に収納したハサミの持ち手部がフォルダーベース１に固定されるのでハサミがハサミケースから外れるような事はなく安全に持ち運び出来る。【選択図】図２
0003235130.tif 000002
【実用新案登録請求の範囲】
【請求項１】
ケース部とフォルダーベースを有し、前記フォルダーベースにハサミの切断部を収納する前記ケース部と前記ケース部にハサミを収納した状態で収納するフォルダーベース部を有し、前記ケース部の先端部と前記フォルダーベースが回動可能に保持されるハサミケース。
【請求項２】
ケース部の前方両側に凸部を設け、フォルダーベース前方内側両側に凹部を設け、前記ケース部をフォルダーベースに篏合時に前記ケース部がフォルダーベースに対して立ち上がる様にされた請求項１記載のハサミケース。
【請求項３】
ケース部の端部に所定の角度で複数の凹部を設け、フォルダーベースに前記凹部に対応する凸部をもうけ、ケース部がフォルダーベースに回動時、前記凹部と前記凸部がかみ合って所定の角度で仮固定される請求項１記載のハサミケース。
【考案の詳細な説明】
【技術分野】
【０００１】本考案はハサミの切断部が挿入されて収納されるケース部とこのケース部を保護、維持するフォルダーベースとからなるハサミケースで有る。
【背景技術】
【０００２】市販されているハサミに関して安全性を担保するため、特に幼児用のハサミに関してはケース付の物が多い。
【考案の概要】
【考案が解決しようとする課題】
【０００３】机上等ではさみを使用して作業時、紙やのり等複数の文具等が同じ場所に散らばっている場合が多くそれらの物の中にハサミケースがうずまり、ハサミや外したケースを見つけにくい場合がある、又使用時毎にハサミケースからハサミ本体を出し入れする場合出し難いい場合もある。
【課題を解決するための手段】
【０００４】ケース部とフォルダーベースを有し、前記フォルダーベースにハサミの切断部を収納する前記ケース部とハサミの持ち手部を収納するフォルダーベース部を有し、前記ケース部の端部と前記フレームが回動可能に保持されるハサミケースを提供するものである。
また、前記ケース部の端部に所定の角度で複数の凹部を設け、前記フォルダーベースに前記凹部に対応する凸部をもうけ、前記ケース部の端部を前記フレームに回動可能に軸支するとともに、前記凹部と前記凸部がかみ合って仮固定されるハサミケースを提供するものである。
【考案の効果】
【０００５】ハサミをハサミケースより抜いた後、ケース部をフォルダーベースに対して直角にしておくことでハサミケースの場所が分かりやすくなる。【０００６】ケース部を立てた状態にしておくことでハサミをハサミケースに出し入れしやすくなる。作業中のハサミの未使用時にハサミケースに収納しておくことでハサミの切断部を直接露出せず安全も保てる。
終了時にはハサミを収納したケース部をフォルダーベースに収める事でハサミがハサミケースから飛び出すような事もなく安全に持ち運びも出来る。
【図面の簡単な説明】
【０００７】
【図１】本願考案のケース部とフォルダーベースを組み合わせた説明図
【図２】本願考案のケース部を仮固定した状態の説明図
【図３】本願考案のケース部とフォルダーベース軸支部分の断面図
【図４】本願考案のハサミを入れた使用状態を示す説明図
【図５】本願考案のハサミを入れて仮固定をした状態を説明する説明図
【図６】本願考案のハサミをいれて直立した状態を示す説明図
【図７】本願考案のハサミをいれてケース部を回動させた説明図
【考案を実施するための形態】
【０００８】ハサミケースは図１に示すように、ケース部２とフォルダーベース１を有し、角度調節機能を備えている。
【０００９】ケース部２はハサミの切断部分を収納するケースである。
【００１０】フォルダーベース１にはケース部２が嵌り込む凹部３が形成されている。ケース用凹部３は、ケース部２に対応した平面形状である。
ケース用凹部３の内壁面のうち、先端部両側に、ケース部凸部４が嵌まり込む凹部５（穴）が形成されている。
【００１１】ケース部凸部４をフォルダーベース凹部３の先端両側にある凹部５に嵌めた部分を軸支としてケース部を立ち上げることが出来る。
【００１２】角度調節機能はフォルダーベース１に対するケース部２の立ち上がり角度を調整する機構である。角度調節機構は、立ち上がり角度を段階的に調節可能にする。角度調整機構はケース部２先端に形成された複数の凹部７とフォルダーベース１底面に形成された凸部を備えている。
【００１３】フォルダーベース１底面にある凸部７に対しケース部２先端の凹部６が平行に勘合している場合、ケース２はフォルダーベース１に収納されている。図４。
ケース部２を回動させフォルダーベース底面にある凸部７に対しケース部先端の凹部６が直角に篏合した場合、ケース２はフォルダーベース１に対してほぼ直角に立ち上がる図６。
【００１４】ケース部２先端にある複数の凹部の角度により立ち上がり角度を連続的に調整可能になる。立ち上がり角度を調整することで平面上に置くだけではなく壁等平面以外の場所でも使用可能となる。
【符号の説明】
【０００８】１  フォルダーベース
２  ケース部
３  フォルダーベース底面
４  ケース部先端回動用凸部
５  フォルダーベース回動用凹部
６  ケース部角度調整用凸部
７  フォルダーベース角度調整用凹部
【図１】
0003235130.tif 000003
【図２】
0003235130.tif 000004
【図３】
0003235130.tif 000005
【図４】
0003235130.tif 000006
【図５】
0003235130.tif 000007
【図６】
0003235130.tif 000008
【図７】
0003235130.tif 000009
(57)【要約】      （修正有）【課題】雪面がスキー板の滑走面に張り付くことを防止し、滑走性を高めたスキー板及びスノーボードを提供する。【解決手段】滑走面にリング状の突起と、球状のくぼみを設けることで、雪面と滑走面の間に隙間を作り、常に一定の空気が滑走面と雪面に保たれるようにした。これにより、雪面と滑走面の吸着が予防され、滑走性を良好に保つことができる。【選択図】図１
0003235102.tif 000002
【実用新案登録請求の範囲】
【請求項１】
スキー、スノーボードの滑走面に突起を施し、滑走性を高める発明
【考案の詳細な説明】
【技術分野】
【０００１】  本発明は、スキー板およびスノーボードの滑走面（ソール）に関するものである。滑走面とは、スキー板やスノーボードが直接雪面に触れる部分であり、当然、雪面の滑走に適した素材が使用されており、それは滑走の妨げにならないように、平滑に構成されている。
【背景技術】
【０００２】  平滑に、構成されている滑走面であるが、完全に平滑にすると、水分が滑走面と雪面の隙間に入り込み、雪面と滑走面が吸着した状態になる。そのため、適度な空気が滑走面と雪面に存在することが望ましい。そこで、滑走面全面にストラクチャーと呼ばれる傷を敢えてつけ、平滑性を損ねてまで、吸着を防止することが行われている。
【考案の概要】
【考案が解決しようとする課題】
【０００３】  しかし、ストラクチャーを滑走面に入れると、毛羽たちが発生し、吸着が起こらない雪質では、かえって滑走性を損ねてしまう。また、ストラクチャーは、深さ０．１ミリが限度でそれ以上滑走面を削ると、滑走時の摩擦により著しく滑走性を損ねてしまう。ストラクチャーは、深いほど空気を多く溜められるため、吸着に対して有利となるが、平滑性を損なるため深さには限度がある。また、近年は大気汚染や黄砂などが酷くなってきており、雪面が汚れやすくなっている。加えて温暖化により、雪面は湿雪が多くなり、吸着による滑走性の悪化が著しい。そのため、近年の雪質に従来のスタラクチャーでは対応できなくなってきている。
【課題を解決するための手段】
【０００４】  そのため、平滑性を損ねず、従来のストラクチャーより吸着に強い形状を求められることになった。そこで、考案者は、滑走面全面に傷をつけるのではなく、滑走面の一部に突起部を設けることで、雪面と滑走面が密着しないようにした。突起部は、物理的に滑走面を浮かせる効果があり、滑走面の一部分だけに設ければよく、ストラクチャーのように、滑走面全面に施す必要性がない。そのため、従来のストラクチャーと異なり平滑性は、ほぼ損なわれない。
【考案の効果】
【０００５】突起部が存在するため、滑走面は雪面から僅かに浮いており、物理的に吸着が起こらない形状となっている。吸着は平滑な雪面と、平滑な滑走面が密着し、さらに滑走面と雪面との境界に水分は入り込んで起こる。しかし、突起部が雪面と滑走面の間に存在するため、密着状態が起こらない。
【図面の簡単な説明】
【０００６】
【図１】  図１は、突起部の形状と突起部の位置を示す。
【考案を実施するための形態】
【０００７】  突起部は、吸着を防止できる最低限の大きさが望ましい。突起部が大きくなりすぎると、滑走抵抗になりうるからである。そのため突起部の高さは最大２ミリである。また、突起部は輪状とすること。突起部が輪状でないと、スキー板やスノーボードの操作に影響が出るからである。
【実施例】
【０００８】  スキー板の滑走面に、直径４ミリ、高さ１ミリ程度の突起部を設けたものと、そうでないものとを比較した結果、突起部を設けたスキー板のほうが、良好な滑走性を示した。また、ストラクチャーを施したスキー板と比較しても、突起部を設けたスキー板のほうが、滑走性が高かった。
【産業上の利用可能性】
【０００９】  吸着による滑走障害が解消されるため、近年の雪質に対応できるスキー板やスノーボードを提供できる。
【図１】
0003235102.tif 000003
【手続補正書】
【提出日】令和3年8月30日(2021.8.30)
【手続補正１】
【補正対象書類名】実用新案登録請求の範囲
【補正対象項目名】全文
【補正方法】変更
【補正の内容】
【実用新案登録請求の範囲】
【請求項１】
高さが最大２ミリで輪状の突起部を滑走面に設けたスキー板。
【請求項２】
高さが最大２ミリで輪状の突起部を滑走面に設けたスノーボード。
(57)【要約】      （修正有）【課題】糸でも、ゴム等でもどんな糸でも太さを選ばず抜け落ちを防止し、道具を使わないで簡単に誰でも糸を通せ、さらに針の大きさを変える事によりどんな裁縫にもどんな作業にも対応できる縫い針を提供する。【解決手段】縫い針１は、針孔２を数字の６の様な針孔２に加工してあり、針孔２の棒４に糸を引っ掛け、糸を簡単に挿入できる。棒４が少し飛び出すように加工してあり、目の見えない人（老眼・目の不自由な人も含む）も縫い針１の通し口が指で確認できる。【選択図】図１
0003235106.tif 000002
【実用新案登録請求の範囲】
【請求項１】
針孔を数字の６を模した形にして、縦棒に糸を引っ掛け糸を中に引き込む様にした縫い針。
【考案の詳細な説明】
【技術分野】
【０００１】
本考案は、糸通しが容易な縫い針に関するものである。
【背景技術】
【０００２】
従来、縫物には縫い針が使用されている。
【０００３】
しかし、針孔が小さく糸を通そうとしても目の不自由な人（老眼も含む）にはメガネを掛けたりルーペ（拡大鏡）を使用したりして苦慮していました。
【先行技術文献】
【特許文献】
【０００４】
【特許文献１】特開２０１２−１３９４３０
【特許文献２】特開平１０−０４３４５８
【特許文献３】特開２０００−５１５６１
【特許文献４】特開２０１９−０７６６７４
【考案の概要】
【考案が解決しようとする課題】
【０００５】
先行技術ではいずれも糸を選び、縫い針としては使用中引っ掛かりが発生する。また、道具を使うのは良いのだが使えない針もある。
【課題を解決するための手段】
【０００６】
そこで本考案は、数字の6の様な針孔に糸を引っ掛け糸を引っ張り込む様な針孔を設ける。
【考案の効果】
【０００７】
本考案においてはどんな針にも加工出来、糸を選ばず、外れる事もなく、道具もいらない、メガネはいらない、目の不自由な人（老眼も含む）にも簡単に針に糸が通せる。
【考案を実施するための形態】
【０００８】
針の針孔を数字の6の様な針孔に加工し糸を簡単に挿入させる為縦棒が少し飛び出すように加工する。
【実施例１】
【０００９】
図１は、縫い針に数字の6の様な針孔を設けた図である。
【実施例２】
【００１０】
図２は、本考案に糸を通す作業を表した図である。
【図面の簡単な説明】
【００１１】
【図１】図１は、請求項１に関する縫い針の全体図です。
【図２】図２は、請求項２に於いて糸の挿入軌跡です。
【図３】図３は、糸の通す挿入段階を表しています。
【図４】図４は、糸の通す途中図です。
【図５】図５は、糸の通す途中図です。
【図６】図６は、糸の通った完成図です。
【符号の説明】
【００１２】
１．縫い針
２．針孔
３．糸
４．糸を引っ掛ける棒
５、糸の挿入軌跡
【図１】
0003235106.tif 000003
【図２】
0003235106.tif 000004
【図３】
0003235106.tif 000005
【図４】
0003235106.tif 000006
【図５】
0003235106.tif 000007
【図６】
0003235106.tif 000008
(57)【要約】      （修正有）【課題】傘の石突きにつける携帯式の傘立てを提供する。【解決手段】携帯式の傘立ては、傘の石突きにつけ、使用時に内径調整ダイヤル１を回すと石突きが固定でき、羽根状足８を広げて床に立たせる。移動時は羽根状足８を閉じ、スペースの狭いところにも羽根状足８が開閉できる。【選択図】図３
0003235103.tif 000002
【実用新案登録請求の範囲】
【請求項１】
本発明は傘の石突きにつけて、傘を床に自立させる携帯式の傘立てであり、
本発明の固定部は内径調整ダイヤル（１）、ねじ（２）、固定パーツの支え（３）、ゴム固定台（４）、石突き固定用ゴム（５）、固定用ゴム（６）、土台（７）を組み合わせ、傘の石突きをこの固定部に差し込んで、内径調整ダイヤル（１）を回しながらゴム固定台（４）が動き、傘の石突きをしっかり挟むと石突きが固定するようになる。
【請求項２】
本発明の支持部は羽根状足（８）を第一土台（７）と第二土台（９）の窪みにはめて羽根状足（８）が開閉できるような構成である。
【考案の詳細な説明】
【技術分野】
【０００１】  本発明は、傘の石突に支えを付けた携帯式の傘立てに関するものである。
【背景技術】
【０００２】  自立型の傘立てとして石突きの太さに応じて傘立ての装着部を適切な太さ調整して自立させる
【先行技術文献】
【特許文献】
【０００３】
【特許文献１】意匠登録第１５９４３３６号公報
【考案の概要】
【考案が解決しようとする課題】
【０００４】そのために次のような問題点があった。
今までの傘の石突だけで傘本体は自立できないし、傘立てというとかさばるイメージで、持ちながら出かけることにも大変。
本発明は、これらの問題点を解決するためになされたものである。
【課題を解決するための手段】
【０００５】本発明の支持部には羽根状足三本を構成、傘の石突を本発明の固定部に差し込み、傘を立たせるように。
以上を特徴とする傘立てである。
【考案の効果】
【０００６】本発明においては傘の石突の太さにより、内径調整ダイヤルを調整して石突の太さに応じて、本発明の軸で調整して固定効果ができて傘の石突を固定して羽根状足三本で床に立たせる
【図面の簡単な説明】
【０００７】
【図１】  本発明の正面図である。
【図２】  本発明の展開正面図である。
【図３】  本発明の各パーツ及び構成図
【考案を実施するための形態】
【０００８】  以下、本発明を実施するための形態について説明する。
第一土台（７）に内径調整ダイヤル（１）、ねじ（２）、固定パーツの支え（３）、ゴム固定台（４）、石突き固定用ゴム（５）、本体固定用ゴム（６）を設け、固定部である。
第一土台（７）と羽根状足（８）と第二土台（９）を装着して内径調整用クッション（１０）を設け支持部である。。
本発明を使用するときは、内径調整ダイヤル（２）を回した後、ゴム支え（４）で傘の石突を固定して羽根状足（８）を広げて床に立たせる。不使用時に羽根状足（８）を閉じて歩いても邪魔にならないように。
本発明は以上のような構成である。
【符号の説明】
【０００９】  １  内径調整ダイヤル
２  ねじ
３  固定パーツの支え
４  ゴム固定台
５  石突き固定用ゴム
６  本体固定用ゴム
７  第一土台
８  羽根状足
９  第二土台
１０  内径調整用クッション
【図１】
0003235103.tif 000003
【図２】
0003235103.tif 000004
【図３】
0003235103.tif 000005
【手続補正書】
【提出日】令和3年8月27日(2021.8.27)
【手続補正１】
【補正対象書類名】実用新案登録請求の範囲
【補正対象項目名】全文
【補正方法】変更
【補正の内容】
【実用新案登録請求の範囲】
【請求項１】
本考案は傘の石突きにつけて、傘を床に自立させる携帯式の傘立てであり、本考案の固定部は内径調整ダイヤル（１）、ねじ（２）、固定パーツの支え（３）、ゴム固定台（４）、石突き固定用ゴム（５）、固定用ゴム（６）、第一土台（７）を組み合わせ、傘の石突きをこの固定部に差し込み、内径調整ダイヤル（１）を回しながらゴム固定台（４）が動き、傘の石突きをしっかり挟むと石突きが固定するようになる。
【請求項２】
第一土台（７）というパーツは本考案の固定部のパー（１）からパーツ（６）をのせ、いわば本考案の固定部の土である。
本考案の支持部は第二土台（９）を第一土台（７）の下からつけて羽根状足（８）を第一土台（７）と第二土台（９）の窪みにはめ込み、羽根状足（８）が開閉できるような構成であることを特徴とする請求項１に記載の携帯式の傘立て。
(57)【要約】      （修正有）【課題】カップめん、コーヒー、味噌汁、スープ等の熱いものを飲食する時に熱くて持てないことや、持った手、指が火傷することを防止するカップ容器を提供する。【解決手段】カップ容器の上部にスキマＤのある手持部分Ｃを設けた。この二重断熱効果で手、指の火傷を防止し、持つことが出来る。【選択図】図１
0003235139.tif 000002
【実用新案登録請求の範囲】
【請求項１】
カップめん、コーヒーカップ、味噌汁、スープ等の熱いものを入れる容器を断熱容器として使用する容器。
【考案の詳細な説明】
【技術分野】
【０００１】  本考案は、耐熱用カップめん容器に関するものである。
【背景技術】
【０００２】  今まではカップめんが、注湯され熱い状態で手に持っていました。
【考案の概要】
【考案が解決しようとする課題】
【０００３】  解決しようとする問題点は、熱いカップめんを手で持つ方法を解決しようとするものです。
【課題を解決するための手段】
【０００４】  本考案は、カップ容器の形状を図(1)の様に変更して、熱さが手に伝わらない様にすることです。
【考案の効果】
【０００５】  本考案のカップめん容器は持つ所が二重になり隙間ができることにより、熱を通さない構造となっています。
【考案を実施するための形態】
【０００６】  カップ容器の上部にスキマのある手持部分で熱を遮断します。
【図面の簡単な説明】
【０００７】
【図１】(1) は耐熱用カップめん容器の正面図と断面図である。        （A）は耐熱用カップめん容器の正面図である。（B）は耐熱用カップめん容器の断面図である。(C) は手持部分である。(D) は断熱用スキマである。
【図１】
0003235139.tif 000003
【手続補正書】
【提出日】令和3年10月6日(2021.10.6)
【手続補正１】
【補正対象書類名】実用新案登録請求の範囲
【補正対象項目名】全文
【補正方法】変更
【補正の内容】
【実用新案登録請求の範囲】
【請求項１】
容器の上部にスキマのある手持部分を設けたことを特徴とするカップ容器。
(57)【要約】      （修正有）【課題】従来の自転車がクランクペダルで走行するのは基本的に駆動力を弱めると云う欠点があり、さらに長いペダルレバーを後輪に具えて上下往復運動によって効率良く走行する自転車では車輪の継続回転が不安定であるのが難点であった。これを是正するために、ペダルレバーではずみ車を駆動して走行する自転車を提供する。【解決手段】左右のペダルレバー４、４′が嵌合固定している後部車輪７の回転主軸２に、はずみ車５を嵌合固着して、該主軸に後輪が中心部にワンウエイクラッチ６を据え付けて接続嵌合し、はずみ車の駆動回転を受けて、独自に回転を安定的に継続するように、装置された後部車輪を持つ自転車の提供。【選択図】図２
0003235133.tif 000002
【実用新案登録請求の範囲】
【請求項１】
左右のペダルレバーの元部にそれぞれワンウエイクラッチを設備し、後輪回転主軸に嵌合固定して、該主軸にはずみ車を固着し、さらにワンウエイクラッチを中心部に具えた後輪を連結してなるペダルレバーではずみ車を駆動回転して走行する自転車。
【考案の詳細な説明】
【技術分野】
【０００１】  本考案は左右の長いペダルレバーを上下に往復運動することで、効率の良い駆動力をはずみ車に伝え、はずみ車と嵌合する後輪の中心にワンウエイクラッチを具え、回転によって軽快に走行する自転車に関する。
【背景技術】
【０００２】  左右のペダルレバーで、後輪を回転し、走行する自転車において、実用新案登録代３１５８５３号及び実用新案登録代２２５６６１号で、効率の良い駆動力を後輪に伝えても、不安定な回転となり、継続して安定的な回転を後輪に伝えて、走行するのが困難であった。
【考案の開示】
【考案が解決しようとする課題】
【０００３】  左右のペダルレバーの上下の運動で走行する自転車の後部車輪の回転が不安定であるのを是正するために、ペダルレバーが連結する回転主軸にはずみ車を固定設備する。該はずみ車に連結嵌合した後部車輪の中心部にワンウエイクラッチを、左右ペダルレバーの元部に取り付けたワンウエイクラッチとは逆方向に回転するように、据え付け安定走行する自転車を得る。
【課題を解決するための手段】
【０００４】  ペダルレバーの一端にワンウエイクラッチを設けて左右から後部回転主軸に嵌合設置し、該主軸にはずみ車を固定設置する。該はずみ車は左右のペダルレバーを交互に踏み込んで漕ぐことによって、駆動、回転する。後輪は中心部にワンウエイクラッチを具えはずみ車と同軸に後部主軸に嵌合しはずみ車の駆動力で回転して、安定走行し課題の解決を計る。
【考案の効果】
【０００５】  本考案は上記の構成、実施例によって従来のスプロッケトを左右の脚で回転させて、チェインを回して、走行する複雑な自転車でなく、はずみ車を設け後輪中心部にワンウエイクラッチを具えることで、左右ペダルレバーを漕いで安定的に走行する自転車が提供される。
【図面の簡単な説明】
【０００６】
【図１】実用新案登録請求の範囲請求項１の基本となる自転車全体の側面図である。
【図２】上記請求項１の立面図である。
【実施例】
【０００７】  図面を参照して説明すると、図１に示すように上下の長いレバー（４）、（４’）の先端にペダルを設けて元部にワンウエイクラッチ（３）、（３’）を具え、ペダルレバーが下方に押し下げられるときは前進方向に駆動回転し、上方に上がるときには空回りするように設備して、後輪回転主軸（２）に嵌合固着され、該後輪回転主軸（２）にはずみ車（５）を据え付ける。左右ペダルレバー（４）、（４’）はベルト（１０）で連結されているので、該ペダルレバー（４）、（４’）を交互に上下運動することで、ワンウエイクラッチ（３）、（３’）によって、一方向に回転する。これにより回転主軸（２）に据え付けられたはずみ車（５）は駆動、回転する。
該軸（２）に嵌合している後輪（７）は同じく回転するが中心部にワンウエイクラッチ（６）を左右ペダルレバー（４）、（４’）のワンウエイクラッチ（３）、（３’）とは逆方向に回転するように据え付けられているので、はずみ車の駆動回転力を受けて独自に回転を続ける。後輪（７）は回転が弱まると、はずみ車の駆動力を受けて加速し繰り返し継続されることによって、後輪（７）は回転を続け、自転車は安定して走行し得る。
【符号の説明】
【０００８】１        自転車後輪軸
２        後輪回転主軸
３’  ペダルレバー元部のワンウエイクラッチ
４’  ペダルレバー
５        はずみ車
６        後輪中心部のワンウエイクラッチ
７        後輪
８’  後輪軸の止金具
９        自転車本体部
１０      左右ペダルレバー連結ベルト
【図１】
0003235133.tif 000003
【図２】
0003235133.tif 000004
(57)【要約】      （修正有）【課題】吸引孔の閉塞を防ぎ、作業を円滑に行うことを可能とするノズルを提供する。【解決手段】魚の脳及び神経弓門内の神経を吸引するための吸引器に接続されるノズル５であって、ノズル５の先端２４は尖頭形であり、最先端２５から２〜１５ｍｍの範囲内の側面２４の位置に吸引孔１８を１個有している。ノズル５を魚の頭部に刺しこむ方向に対し吸引孔１８の面積が小さくなるので、魚の身肉が入りにくくなり吸引孔１８が閉塞しにくい。【選択図】図１
0003235382.tif 000002
【実用新案登録請求の範囲】
【請求項１】
魚の脳及び神経弓門内の神経を吸引するための吸引器に接続されるノズルであって、前記ノズルの先端は尖頭形であり、前記ノズル最先端から２〜１５ｍｍの範囲内の側面に吸引孔を１個有していることを特徴とするノズル。
【請求項２】
前記吸引孔の開孔面積が４〜１００平方ｍｍであることを特徴とする請求項１のノズル。
【考案の詳細な説明】
【技術分野】
【０００１】
本考案は、魚の脳及び神経弓門内の神経を真空吸引するノズルに関するものである。
【背景技術】
【０００２】
魚の脳と神経弓門の中の神経を破壊することで、神経を介して魚の身肉に伝わる脳からの信号を断ち、魚の旨味成分イノシン酸の元となるＡＴＰ（アデノシン３リン酸）の減少を遅延させ、その効果で魚の旨味を長持ちさせることは周知の通りである。（脳が無くても神経が残ればＡＴＰの減少は止まらない）その方法は、刃物等を魚の脳に突き刺して破壊し、神経弓門の中に針金を差し込むことで神経を破壊するのが一般的である。針金を使わない技術として高圧ガスや水で神経を押し出す方法がある。
【先行技術文献】
【特許文献】
【０００３】
【特許文献１】特開２０２１−０３６８４３号
【考案の概要】
【考案が解決しようとする課題】
【０００４】
解決しようとする問題点は、ノズル先端を魚の頭部に刺しこむ際にノズルの先端の吸引孔が魚の身肉などで閉塞してしまい、吸引作業が中断することである。
【課題を解決するための手段】
【０００５】
本考案は、魚の脳及び神経弓門内の神経を吸引するための吸引器に接続されるノズルであって、前記ノズルの先端は尖頭形であり、前記ノズル最先端から２〜１５ｍｍの範囲内の側面に吸引孔を１個有していることを特徴とするノズルである。
【０００６】
本考案は、前記吸引孔の開孔面積が４〜１００平方ｍｍであることを特徴とする請求項１のノズルである。
【考案の効果】
【０００７】
本考案のノズルは、最先端から２〜１５ｍｍの側面の位置に吸引孔を有するので、ノズルを魚の頭部に刺しこむ方向からは吸引孔の面積が小さくなるので、魚の身肉が入りにくくなり吸引孔が閉塞しにくいという利点があるので、吸引作業が中断しない。
【０００８】
本考案のノズルは、吸引孔の開孔面積が４平方ｍｍ以上であるので吸引孔が魚の神経などで閉塞しにくいという利点がある。更には開孔面積が１００平方ｍｍ以下なので作業の際に吸引孔が魚の頭部外に出にくく吸引漏れが少ない。
【図面の簡単な説明】
【０００９】
【図１】図１はノズルの実施例を示した説明図である。（実施例１）ａ）正面図  ｂ）側面図  ｃ）上面図
【図２】図２は魚の処理全体を示した説明図である。
【考案を実施するための形態】
【００１０】
下記の実施例のノズルは、ホースを介し吸引器に接続されている状態で魚の頭部に刺しこまれるものである。（特開２０２１−０３６８４３号に同じであり図２に示す）
【実施例１】
【００１１】
図１は、ノズルの実施例１である。ノズル５の先端２４は尖頭形であり、最先端２５から２〜１５ｍｍの範囲内の側面２４の位置に吸引孔１８を１個有している。側面２４の位置に吸引孔１８があるので、ノズルを魚の頭部に刺しこむ方向に対し吸引孔の面積が小さくなる（上面図と正面図で違いを示す）ので、魚の身肉が入りにくくなり吸引孔が閉塞しにくい。また吸引孔の面積は魚の神経で閉塞しない大きさが必要であり、４平方ｍｍ以上が望ましい。更には開孔面積を１００平方ｍｍ以下とすることで作業の際に吸引孔が魚の頭部外に出にくく吸引漏れが少なくするのが良い。
【符号の説明】
【００１２】
１    吸引器
２    吸引器とホースの接続部
３    ホース
４    ノズルの末端（ホースとの接続部）
５    ノズル
７    頭蓋
８    脊椎
９    神経弓門
１０  魚の尾
１１  尾付近の切断箇所
１２  背びれ
１３  尻ひれ
１６  吸引器の電源コード
１７  神経
１８  吸引孔
１９  脳
２１  ノズルの中央部（最も太い部分）
２２  魚の頭部
２３  魚の胴体  
２４  ノズルの先端および側面
２５  ノズルの最先端
２６  ノズルの最先端からの距離
【図１】
0003235382.tif 000003
【図２】
0003235382.tif 000004
(57)【要約】      （修正有）【課題】フェンスに統一感と連続性、と安全性を持たせ、設置と撤去を簡単にできるアーチフェンスフレームを提供する。【解決手段】背面補強柱１に角度補正柱２を添わせ、連結結束ベルト４を二本で固定する。角度補正柱は外野フェンスのアーチによって補正するものである。下の連結結束ベルト部分で、背面補強柱の前面部の位置決めプレート７に角度補正柱をあてがい、角度補正柱が背面補強柱の前に出ないようにし、その上を連結結束ベルトで巻き付ける。又、背面補強柱と角度補正柱のベース部分に連結金具で連結固定し、倒れ止め、開き止めが完了する。そしてグランドの凹凸に合わせた固定化もなされ、またアーチ両端のフレームは連結が外れ弱くなるため両端フレーム重しをおく。【選択図】図１
0003235342.tif 000002
【実用新案登録請求の範囲】
【請求項１】
フェンスのアーチに添わせ固定する角度補正柱と連結金具をもったアーチフェンスフレーム。
【請求項２】
フレームの柱連結固定を面ファスナーで行うアーチフェンスフレーム。
【考案の詳細な説明】
【技術分野】
【０００１】
本考案はソフトボール等の外野フェンスのフレームに関するものである。
【背景技術】
【０００２】
ソフトボールの球場はソフトボールの規格に従った広さで行われ、野球場を狭く区切って球場整備がおこなわれている現状である。特に外野フェンスはポールを立てそれにネットを取り付けるネットフェンス、フレームを組み、その内側に帆布を貼り付けたものを並べていくもの、また同じようにフレームの前にクッションを取り付けたものを並べていくものであり、フレームのところもあれば柱のところもあるテントのところもある、外野フェンスとしての統一感がなく、プレイグラウンドの仕切りとしてのつい立て、もしくはフェンスであった。よって安全で高度なプレイができる外野フェンスではないのである。
【先行技術文献】
【非特許文献】
【０００３】
【非特許文献１】「２０２１年度総合カタログ」ｐ６３,(株)ルイ高
【考案の概要】
【考案が解決しようとする課題】
【０００４】
本考案は、以上のような状況を鑑み、野球場の外野フェンスのように、フェンスに統一感と連続性を持たせ、安全性を持たせることを課題とし、常設の外野フェンスではないため設置と撤去を簡単にできることも課題となるのである。
【課題を解決するための手段】
【０００５】
上記目的を達成するため、本考案は外野フェンスのフェンスフレームを連結構造とし、そのフレームに全面的に連結されたクッションが取り付けられる構造とすることで構成されている。
【考案の効果】
【０００６】
以上の説明から明らかなよう、本考案にあっては次に列挙する効果が得られる
(１) 外野選手のフェンスぎわの安全性が高まり、高度なプレイが演出できるようになる。
【０００７】
(２) クッションボールが安定化、共通化するため、試合に連続性を持たせることができる。
【図面の簡単な説明】
【０００８】
【図１】アーチフェンスフレーム正面図
【図２】アーチフェンスフレーム右側面図
【図３】アーチフェンスフレーム平面図
【図４】アーチフェンスフレームマット設置右側面図
【図５】アーチフェンス両端フレーム重り設置平面図
【図６】アーチフェンスフレーム連結図
【考案を実施するための形態】
【０００９】
以下、本考案の実施の形態を図に基づいて説明する。
【実施例１】
【００１０】
図６は本考案装置の実施例である。１背面補強柱に２角度補正柱を添わせ、４連結結束ベルト二本で固定する。２角度補正柱は外野フェンスのアーチによって補正するものである。この場合のアーチフェンスフレームの接続を説明する。下の４連結結束ベルト部分で、１背面補強柱の前面部の７位置決めプレートに２角度補正柱をあてがい、２角度補正柱が１背面補強柱の前に出ないようにし、その上を４連結結束ベルトで巻き付ける。又、１背面補強柱と２角度補正柱のベース部分に８連結金具で連結固定し、倒れ止め、開き止めが完了するのである。このとき上の４連結結束ベルトは地面の平行度に応じて多少の前後があっても、それに従って巻き付け、余裕を持った締付方とし、衝撃吸収をするのである。そして、このフェンスの前面に５保護マットを３マット取り付けフレームに面ファスナーで固定し、保護マットどうしも面ファスナーで連結するのである。以上のように、５保護マットのよる衝撃吸収の安全性と同時に上部４連結結束ベルトによる衝撃吸収もなされるのである。そしてグランドの凹凸に合わせた固定化もなされるのである。またアーチ両端のフレームは連結が外れ弱くなるため６両端フレーム重しをおくものとする。
【産業上の利用可能性】
【００１１】
オリンピックで女子ソフトボールの人気が高まっています。よってソフトボールの設備も安全で高度ものとし、レベルの高い競技がなされることが望まれます。外野フェンスが安全で均一な状態になることはソフトボールの質も高まり、見ごたえのあるスポーツとなるのである。
【符号の説明】
【００１２】
１背面補強柱
２角度補正柱
３マット取り付けフレーム
４連結結束バンド
５保護マット
６両端フレーム重り
７位置決めプレート
８連結金具
【図１】
0003235342.tif 000003
【図２】
0003235342.tif 000004
【図３】
0003235342.tif 000005
【図４】
0003235342.tif 000006
【図５】
0003235342.tif 000007
【図６】
0003235342.tif 000008
(57)【要約】      （修正有）【課題】直径と重さは同じだが相互の位置関係が無秩序な玉の集合体を、玉を上から押さえつけたり１個ずつ規制したりすることなく、上から落とし、中を通過させるだけで、玉を１列にしか収納できない容器内に収納することができる装置を提供する。【解決手段】下記の（１）、（２）、（３）から成る装置とする。：（１）１対の支点で保持され断面がＶ字型の揺動板、（２）前後左右に設けた飛散防止物、（３）玉を受ける容器。【選択図】図４
0003235341.tif 000002
【実用新案登録請求の範囲】
【請求項１】
下記の（１）、（２）、（３）から成る装置：（１）１対の支点で保持され断面がV字型の揺動板、（２）前後左右に設けた飛散防止物、（３）玉を受ける容器。
【考案の詳細な説明】
【技術分野】
【０００１】
本考案は、無秩序な状態の玉の集合体を一度に投入するだけで電気を使うことなく容器内に１列に並べることができる装置に関するものである。
【背景技術】
【０００２】
玉の集合体を１列に整列する装置のうち、何らかの可動部品を用いるものには、玉の上から押さえつけるものや玉を１個ずつ規制するものは考案されたが、可動部品の上に玉を落下させるものはなかった。
【先行技術文献】
【特許文献】
【０００３】
【特許文献１】特開２００６−４３２５６  特開平８―１３１６３０
【考案の概要】
【考案が解決しようとする課題】
【０００４】
直径と重さは同じだが相互の位置関係が無秩序な玉の集合体を、可動部品で玉を上から押さえつけたり玉を１個ずつ規制したりすることなく、上から落とし、中を通過させるだけで、玉を１列にしか収納できない容器内に収納することができる装置を提供する。
【課題を解決するための手段】
【０００５】
下記の（１）、（２）、（３）から成る装置：（１）１対の支点で保持され断面がV字型の揺動板、（２）前後左右に設けた飛散防止物、（３）玉を受ける容器。
【考案の効果】
【０００６】
本考案の装置は、直径と重さは同じだが相互の位置関係が無秩序な玉の集合体を、可動部品で玉を上から押さえつけたり玉を１個ずつ規制したりすることなく、上から落とし、中を通過させるだけで、玉を１列にしか収納できない容器内に収納することができるという利点がある。
【図面の簡単な説明】
【０００７】
【図１】図１は、１実施例として透明な材料で作った本考案の装置に６個の玉が落下を始める直前の状態を示す。
【図２】図２は、１実施例として６個の玉が、透明な材料で作った本考案の装置の揺動板に落下した直後の状態を示す。
【図３】図３は、１実施例として透明な材料で作った本考案の装置の揺動板に落下した６個の玉が揺動板から転がり落ち始める状態を示す。
【図４】図４は、１実施例として透明な材料で作った本考案の装置の揺動板から玉の最後の１個が転がり落ちる状態を示す。
【図５】図５は、１実施例として、すべの玉が落下し透明な材料で作った本考案の装置の容器内に１列に整列した状態を示す。
【考案を実施するための形態】
【０００８】
下記の（１）、（２）、（３）から成る装置を用意する：（１）１対の支点で保持され断面がV字型の揺動板、（２）前後左右に設けた飛散防止物、（３）玉を受ける容器。
【実施例１】
【０００９】
ゴルフ練習用の直径４１ｍｍ重さ４グラムの玉６個を本考案の装置の上部に投入すると、玉は装置内を落下しながら容器内に１列に整列した。
【産業上の利用可能性】
【００１０】
本考案の装置は、直径と重さは同じだが相互の位置関係が無秩序な玉の集合体を、可動部品で玉の上から押さえつけたり玉を１個ずつ規制したりすることなく、上から自然に落下させるだけで、電気を使わずに、玉を１列にしか収納できない容器内に収納することができるので、玉の計数、球形商品のパッケージ作成、スロープ玩具やバランス玩具への玉供給用カートリッジ作成への利用が期待できる。
【図１】
0003235341.tif 000003
【図２】
0003235341.tif 000004
【図３】
0003235341.tif 000005
【図４】
0003235341.tif 000006
【図５】
0003235341.tif 000007
(57)【要約】      （修正有）【課題】早くきれいに仕掛けを作ることができる、釣り具のオモリのネイルシンカーを提供する。【解決手段】ネジ形状のネイルシンカーの刺し込み側の先が尖っているほうの先端部分のネジ山を無くしワームに刺し込む導入部分とする。これによってワームに刺し込み出すときに、ネイルシンカーを回転させなくてよいので、真っすぐに刺し込みやすくなる。さらに、回し入れる時間もネジ山が減った事により短縮でき、早くキレイに仕掛けを作ることができる。【選択図】図２
0003235364.tif 000002
【実用新案登録請求の範囲】
【請求項１】
釣り具のオモリのネイルシンカーで、ネジ形状を持ちながら、先端部にネジ山を無くすことにより、早く真っすぐに刺し込む事ができる、特徴を持つネイルシンカー。
【考案の詳細な説明】
【考案の概要】
【考案が解決しようとする課題】
【０００１】
釣り具の主にワームの中に挿入して使う棒状で一方が尖った形のオモリをネイルシンカーと称します。
従来は先端のとがった部分をワームなどに刺し込み使うのですが釣りを行う際にキャストするのですが、反動で抜けてしまうことがあり、突起物やギザギザ形状や、ネジ形状にすることにより抜けにくい形にしております。
ネジ形状が、ワームなどに使う場合刺し込んでもワームが太くなることもなく良いのでネジ形状（図1）のですが、従来のネジの形状はドライバーなどで回して使う事が前提ですので、柔らかい釣りのワームに使用すると差し込むのに時間がかかったり、中心に真っすぐ刺し込む事が難しい。
【課題を解決するための手段】
【０００２】
ネジ形状のネイルシンカーの刺し込み側の先が尖っているほうの先端部分のネジ山を無くし（図2）ワームに刺し込む導入部分とする、これによってワームに刺し込み出すときに、ネイルシンカーを回転させなくてよいので、真っすぐに差し込むやすくなる。
さらに、回し入れる時間もネジ山が少し減った事により短縮できる。
【考案の効果】
【０００３】
ネジ型のネイルシンカーの先の部分のネジ山を無くし、刺し込み部分を作り、抜けにくくなるだけの必要なネジ部分を残すことでネジ山が減り早くキレイに真っすぐにワームにセットしやすくなり、釣果向上につながります。
【図面の簡単な説明】
【０００４】
【図１】従来のネジ形状のネイルシンカー
【図２】先端部分のネジ山を無くし刺しやすくしたスクリューネイルシンカー
【考案を実施するための形態】
【０００５】
図2のように、先までネジ山を作らず、先端部分を刺し込みやすくするために位置を決め刺し込みやすくする部分と、ネジ山でしっかり外れないように固定する部分を作る。
【実施例】
【０００６】
釣りの仕掛けを作るのが、スクリューネイルで早くキレイに行えるようになる。
【産業上の利用可能性】
【０００７】
釣り人に便利なものを、使ってもらうことで釣りに集中し楽しんでもらい、釣り文化の発展につながります。
【図１】
0003235364.tif 000003
【図２】
0003235364.tif 000004